(57)【要約】【課題】簡単なスイッチ操作でコンテンツの抽出を可能にしたコンテンツの提供システムを提供するものである。【解決手段】嗜好性感知型のコンテンツの提供システム３０は、コンテンツデータベースでコンテンツ毎にキーワードの振りつけが行われ、ユーザーデータベース上で識別されたユーザーが閲覧したコンテンツから、ユーザーキーワードを記録し、ユーザーキーワード毎の評価点をキーワードデータベースに蓄積し、ユーザーキーワードの評価点に基づき、評価点の高い順にコンテンツをユーザーのコンピュータ端末に表示するものである。この提供システム３０は、ユーザーのコンピュータ端末をオン・オフ操作し、かつコンピュータ端末に表示するコンテンツを、評価点の高い順に切り替えるワンタッチスイッチ３５を備える。【選択図】  図７
2004258929.tif 000002
【特許請求の範囲】
【請求項１】
コンピュータシステム上に、ユーザーにコンテンツを提供するためのコンテンツデータベースと、ユーザーを識別するためのユーザーデータベースと、ユーザーの嗜好性を分析するためのキーワードデータベースを備え、前記コンテンツデータベースにおいては、コンテンツ毎にキーワードの振りつけが行われ、ユーザーデータベース上で識別されたユーザーが閲覧したコンテンツから、当該ユーザーの閲覧したキーワード（ユーザーキーワード）を記録し、当該ユーザーキーワード毎の評価点をキーワードデータベースに蓄積し、このキーワードデータベース上のユーザーキーワードの評価点に基づき、評価点の高い順にコンテンツを個別ユーザーのコンピュータ端末に表示できるようにした嗜好性感知型のコンテンツの提供システムであって、
前記ユーザーのコンピュータ端末をオン・オフ操作し、かつコンピュータ端末に表示するコンテンツを、前記評価点の高い順に切り替えるスイッチとしてワンタッチスイッチを備えたことを特徴とする嗜好性感知型のコンテンツの提供システム。
【発明の詳細な説明】
【０００１】
【発明の属する技術分野】
本発明は嗜好性感知型のコンテンツの提供システムに係り、さらに詳しくは、Ｗｅｂサイト上の各種コンテンツ（以下、単に「コンテンツ」という）を、効果的にＷｅｂサイトユーザー（以下、単に「ユーザー」という）に提供していくために、ユーザーの嗜好を個別のユーザーキーワード（ユーザーの閲覧したキーワード）単位でコンピュータにより分析評価し、その分析評価結果に応じて、特定のユーザーキーワードを含むコンテンツを、そのユーザーキーワードの評価点の高い順に表示できるようにした嗜好性感知型のコンテンツの提供システムに関する。
【０００２】
【従来の技術】
従来より、Ｗｅｂサイト上では、大量のコンテンツを特定のグループ毎に区分けして、ユーザーにとって検索し易い状態で目次などを表示できるようにしたコンテンツの提供システムは知られている。
【０００３】
【発明が解決しようとする課題】
上記の如き従来のコンテンツの提供システムによれば、ユーザーの自らの努力により、大量のＷｅｂサイト上のコンテンツから、希望するコンテンツが存在すると予想されるグループを予測し、その予測に基づき特定のグループの中からユーザーが興味を持てるコンテンツを具体的に抽出して内容を閲覧していた。
【０００４】
このため従来のシステムにおいては、ユーザーに対しては相当の努力を強いるという問題点があり、さらには抽出して閲覧したコンテンツの内容予測が思惑くから外れて、希望に沿ったキーワードをまったく持たないコンテンツを無駄に閲覧してしまうという問題もあった。
さらには、コンテンツの抽出を操作するスイッチ操作が複雑であるため、使い勝手の点で改良の余地が残されていた。
【０００５】
この発明は、ユーザー自身は特別の努力をしなくても、自らの操作するコンピュータ端末の上で、ユーザーの嗜好性によって割り出された興味を持つ可能性の高いキーワードを含むコンテンツを、適宜の形式で（目次形式又は内容表示形式）により、ユーザーが興味を抱く可能性の高い順序で自動配信でき、さらには簡単なスイッチ操作でコンテンツの抽出を可能にしたコンテンツの提供システムを提供せんとするものである。
【０００６】
【課題を解決するための手段】
本発明の上記目的を達成するために、請求項１の発明は、コンピュータシステム上に、ユーザーにコンテンツを提供するためのコンテンツデータベースと、ユーザーを識別するためのユーザーデータベースと、ユーザーの嗜好性を分析するためのキーワードデータベースを備え、前記コンテンツデータベースにおいては、コンテンツ毎にキーワードの振りつけが行われ、ユーザーデータベース上で識別されたユーザーが閲覧したコンテンツから、当該ユーザーの閲覧したキーワード（ユーザーキーワード）を記録し、当該ユーザーキーワード毎の評価点をキーワードデータベースに蓄積し、このキーワードデータベース上のユーザーキーワードの評価点に基づき、評価点の高い順にコンテンツを個別ユーザーのコンピュータ端末に表示できるようにした嗜好性感知型のコンテンツの提供システムであって、前記ユーザーのコンピュータ端末をオン・オフ操作し、かつコンピュータ端末に表示するコンテンツを、前記評価点の高い順に切り替えるスイッチとしてワンタッチスイッチを備えたことを特徴とする嗜好性感知型のコンテンツの提供システムである。
【０００７】
上記の発明によれば、コンテンツ中に存在するキーワード単位で、個別のユーザーが自己の嗜好性に基づき評価されたユーザーキーワード（ユーザーが閲覧したキーワード）の評価点（嗜好性）を計算することが可能となり、その結果ユーザーキーワード別の評価点順にコンテンツの提供ができるようになり、極めて効率のよいコンテンツの提供を行えるようになる。
【０００８】
さらに、ユーザーのコンピュータ端末をワンタッチスイッチでオン・オフ操作できるようになり、極めて簡単なスイッチ操作が可能になる。
加えて、コンピュータ端末に表示するコンテンツを、ワンタッチスイッチで評価点の高い順に切り替えることができるようになり、極めて簡単なスイッチ操作が可能になる。
【０００９】
【発明の実施の形態】
以下添付図に基づいて、本発明に係る嗜好性感知型のコンテンツの提供システムの一実施の形態を詳説する。
【００１０】
図１は本発明に係る嗜好性感知型のコンテンツの提供システムの内容を示す関連図であり、図２は同提供システムの機能図であり、コンテンツデータ−ベース１には、コンテンツ提供者１０により新たなコンテンツが随時登録されていく。ここで言うコンテンツには、文字情報（ＨＴＭＬ等）に限られず、音声情報、映像情報（動画、静止画）等も含まれる。
【００１１】
コンテンツデータベース１への登録の一例としては、コンテンツの内容のほかに、当該コンテンツの公開開始日、公開終了日等の適宜事項が登録される。
コンテンツデータベース１へのコンテンツの登録に際しては、コンテンツデータベース１を管理するコンピュータにより当該コンテンツ中に含まれるキーワードが区分けされて登録され、そのキーワードは別途キーワードデータベース２に登録される。
【００１２】
一方ユーザーデータベース３には、Ｗｅｂサイトにアクセスするユーザー２０の基礎データ、例えば当該ユーザーの氏名、ＩＤ番号、パスワードなどが登録される。
【００１３】
このような状況化で、ユーザー２０が特定のコンテンツ５をコンテンツデータベース１から抽出すると、その抽出されたコンテンツ５中に含まれているキーワードと、そのキーワードを含むコンテンツを閲覧することにより個別のユーザーキーワード（ユーザーキーワード）１６の価値が常に更新され状態で評価され、その評価点（キーワードの固有基礎点×出現回数で計算される）が獲得されていき、その評価点は個別のユーザーのユーザーキーワード１６として前述のキーワードデータベース２に蓄積されていく。
この個別のユーザーキーワード１６の評価点を分析すると、各ユーザーの嗜好性が判断できるようになる。
【００１４】
さらに本発明では、コンテンツの内容とは関係のない特定のキーワードを無効にすることによって、嗜好性の判断にとってノイズとなるようなキーワード（ＮＧワード）を除去し、これによりユーザーキーワードの評価点の計算を調整することができるＮＧワードデータベース４を備えている。ここでは、ＮＧワードに相当するキーワードとしては、コンテンツの提出先の名称である「○○新聞社」とか、一般に使用される普遍的文字である「人」、「昨日」とか、天候を表す文字である「晴れ」、「曇り」等の例が挙げられる。このようなＮＧワードは、閲覧したコンテンツ中に何回も繰り返し出現したとしても、それらは嗜好性を判断する際に意味のあるユーザーキーワードとして出現した訳ではないので、その観点よりユーザー２０の嗜好性を判断する際の判断材料からは除外している。
【００１５】
上記の説明において、コンテンツデータベースに登録されるコンテンツに含まれているキーワード毎の固有基礎点のつけ方の一例を説明する。
基本的には、コンテンツ中の全てのキーワードに対し固有基礎点を振りつけることになり、コンテンツデータベースに登録された全コンテンツ中、そこで出現回数が多いキーワードには、出現回数が少ないキーワードと対比して相対的に低価値の固有基礎点が振りつけられる（希少価値のものを評価する）。
【００１６】
例えば一定範囲内のコンテンツ中に１０，０００件（種類）のキーワードがあった場合、そのコンテンツ中に１００回出現するようなキーワードであれば、その固有基礎点は、１０，０００÷１００＝１００点と評価し、１０，０００件（種類）のキーワード中、そのコンテンツ中に１回しか出現しないキーワードであれば、その固有基礎点は、１０，０００÷１＝１０，０００点と評価する。
【００１７】
ユーザーキーワードがチェックされた場合には、この固有基礎点に、そのキーワードの出現回数を乗ずることで、ユーザー毎のユーザーキーワードの評価点が確定する。
【００１８】
この評価点に基づき、コンテンツデータベースに登録されている全てのコンテンツ中から、当該ユーザーが未閲覧のコンテンツを選択し、その未閲覧のコンテンツ中に含まれるユーザーキーワードに対応するキーワードから、当該ユーザーのユーザーキーワードの切り口で評価点をはじき出し、その評価点の高い順に、そのユーザーキーワードを含むコンテンツを個別にユーザーのコンピュータ端末に表示する。
このときのコンテンツの表示は、要約を表示するものであっても、あるいは目次を表示するものであってもかまわない。表示されたコンテンツは、個別ユーザーにとっては、嗜好性の観点から導かれた、ユーザーにとって閲覧するのに充分な価値があるものとなっている。
【００１９】
つぎに特定のユーザーが、コンテンツの表示の提供を受けるケースの実施例を説明する。
このユーザー２０は、Ｗｅｂサイトにアクセスすると、本発明のユーザーデータベース３において、ユーザー２０をユーザーＩＤ等で識別し、その特定のユーザーに閲覧するのにふさわしいコンテンツ５が提供されることになる。
【００２０】
ここでコンテンツの提供の順番は、Ｗｅｂサイトの性格により種々のケースが考えられる。基本的には、ユーザーキーワードの評価点の点数順に表示することになる。但し、コンテンツ情報の鮮度等の観点から、コンテンツ５をコンテンツデータ−ベース１に登録して公開を開始した日（公開開始日）の順番にすると、コンテンツの鮮度順で提供することができ好都合である。さらにそのコンテンツの公開終了日が設定されている場合には、その日をもって公開を終了させるようにしてもよい。
【００２１】
このようにして提供されたコンテンツ５をユーザー２０が閲覧すると、そのコンテンツ５中に含まれているキーワード６は、ユーザーキーワード１６としてキーワードデータベース２に保存蓄積されることとなる。このユーザーキーワード１６は、その後コンテンツ５のユーザーキーワードの切り口から評価される評価点として利用されることとなる。即ち、ユーザー２０は、コンテンツ５を閲覧することにより、自分の保有するユーザーキーワードの評価点を増化させ、それによりコンテンツの評価点より、当該ユーザーの嗜好性判断の精度が高められていくこととなる。
【００２２】
さらに本発明の提供システムにおいては、次のような付加機能を付することも可能である。
１．ユーザーが保有するキーワードの基礎点の補正について、一定期間出現しないユーザーのキーワード１６がある場合には、そのユーザーのキーワードは嗜好性が薄れたことを意味するので、そのユーザーのキーワード１６の基礎点を低価値のものに補正するようにしてもよい。
【００２３】
２．公開開始日から一定期間を経過したコンテンツがコンテンツデータベースにある場合には、そのコンテンツの情報の鮮度が落ちていることを意味するので、コンテンツ全体の評価点を低価値のものに補正するようにしてもよい．
【００２４】
３．本発明に係る提供システムを実装するＷｅｂサイト（当サイト）から他のＷｅｂサイトへ移動した際には、他のサイトの記事をユーザーのキーワードとして収集して、当サイトのコンテンツの点数計算に活用するようにしてもよい．
【００２５】
上記付加機能は、本提供システム上のコンピュータにより、自動的に修正がおこなわれるように指令を出せるようにしておくことにより、効果的に付加機能を発揮させることができる。
【００２６】
おすすめコンテンツ
特定のユーザーが保有するキーワードの体系（キーワードの出現回数の多い順序で比較）に似通ったキーワードの体系を保有する他のユーザーがいる場合には、一方のユーザーが既に閲覧しているが、他のユーザーはまだ閲覧していないという条件のコンテンツがある場合には、当該コンテンツを未閲覧のユーザーにお勧めコンテンツとして提供することも効果的である。
【００２７】
検索エンジンとの結合
ユーザーが保有する各キーワードをロボット型検索エンジンを利用して、当該ユーザーの嗜好に合った他のＷｅｂサイトにおいて検索できるようにすることも効果的である。
【００２８】
実施例
つぎに、本発明の実施例を図７〜図１０に基づいて説明する。
嗜好性感知型のコンテンツの提供システム３０は、コンピュータ３１と、テレビなどのモニター３２と、セットトップボックス３３と、ワンタッチスイッチ３５とからなる。
なお、テレビなどのモニター３２およびセットトップボックス３３は、端末コンピュータの一例を示すものであり、端末コンピュータはこれに限るものではない。
【００２９】
コンピュータ３１は、上述したコンテンツデータベース１、キーワードデータベース２、ユーザーデータベース３およびＮＧワードデータベース４などを管理するものである。
【００３０】
セットトップボックス３３は、テレビなどのモニター３２に接続して様々なサービスを受けられるようにする機器の総称で、テレビ３２のトップ（上部）にセットすることが多いことからこう呼ばれている。
ケーブルテレビ網に接続して番組を受信するものや、電話回線に接続してインターネット接続や通信カラオケを提供するものなど、様々な種類がある。
広い意味では、外付けの衛星放送の受信装置やテレビゲーム機もセットトップボックスといえる。
【００３１】
インターネット接続機能を持ったセットトップボックス３３を、テレビ３２に接続すればホームページを見たり電子メールを送受信できる。
次世代セットトップボックス３３として、ブロードバンド対応セットトップボックスがある。このブロードバンド対応セットトップボックス３３は、コンテンツサービスプロバイダより配信される映像を、家庭用テレビ画面で簡単に再生することが可能である。また、本体に搭載されている専用ブラウザソフトウエアを使用して、ＶＯＤによる映像配信機能を実現することも可能である。
【００３２】
具体的には、セットトップボックス３３は、ワンタッチスイッチ３５からの信号、すなわちコンテンツの切り替え信号をコンピュータ３１に伝え、コンピュータ３１からのコンテンツ信号を受信して、テレビなどのモニター３２に伝えるものである。
テレビなどのモニター３２は、セットトップボックス３３からのコンテンツ信号に基づいてコンテンツ映像を映し出すものである。
【００３３】
ワンタッチスイッチ３５は、操作ボタン３６を押すだけの簡単な操作で、セットトップボックス３３をオフからオンに切り替えが可能で、さらにセットトップボックス３３にコンテンツの切り替え信号を伝えることが可能である。
また、ワンタッチスイッチ３５は、操作ボタン３６を所定時間以上押し続けることで、セットトップボックス３３をオンからオフに切り替えが可能である。
なお、ワンタッチスイッチ３５とセットトップボックス３３とは有線で接続することも可能であり、無線を使用することも可能である。
【００３４】
つぎに、嗜好性感知型のコンテンツの提供システム３０の作用を図８に基づいて説明する。
図８に示すように、ステップ（以下、「ＳＴ」と略記する）１のセットトップボックス３３およびモニター３２の電源がオフの状態から、ＳＴ２において、ワンタッチスイッチ３５の操作ボタン３６を押して、ＳＴ３に示すようにセットトップボックス３３およびモニター３２の電源をオンに切り替える。
【００３５】
これにより、評価点の最も高いコンテンツ、すなわち優先順位１番のコンテンツが提供され、モニター３２にその映像が映される。コンテンツの提供を停止する場合には、ＳＴ４において、ワンタッチスイッチ３５の操作ボタン３６を所定時間より長く押す。
ＳＴ１に戻って、セットトップボックス３３およびモニター３２の電源がオフの状態に切り替わる。
【００３６】
一方、ＳＴ４において、優先順位１番のコンテンツを別のコンテンツに切り替えたい場合には、ワンタッチスイッチ３５の操作ボタン３６を所定時間より短く押す。
これにより、ＳＴ５において、優先順位１番のコンテンツに代えて、評価点が２番目に高いコンテンツ、すなわち優先順位２番のコンテンツが提供され、モニター３２にその映像が映される。
【００３７】
優先順位２番のコンテンツの提供を停止する場合には、ＳＴ６において、ワンタッチスイッチ３５の操作ボタン３６を所定時間より長く押す。
ＳＴ１に戻って、セットトップボックス３３およびモニター３２の電源がオフの状態に切り替わる。
【００３８】
一方、ＳＴ６において、優先順位２番のコンテンツを別のコンテンツに切り替えたい場合には、ワンタッチスイッチ３５の操作ボタン３６を所定時間より短く押す。
これにより、ＳＴ７において、優先順位２番のコンテンツに代えて、評価点が３番目に高いコンテンツ、すなわち優先順位３番のコンテンツが提供され、モニター３２にその映像が映される。
【００３９】
このように、セットトップボックス３３およびモニター３２（コンピュータ端末）のオン・オフ切り替えや、評価点の高い順に表示するコンテンツの切り替えを、ワンタッチスイッチ３５で極めて簡単におこなうことができる。
【００４０】
つぎに、図９に基づいて提供システム３０のその他の作用を説明する。
図９に示すようにＳＴ１０の時代劇のコンテンツが提供され、モニター３２にその映像が映された状態から、コンテンツを代える際には、ＳＴ１１において、ワンタッチスイッチ３５の操作ボタン３６を所定時間より短く押す。
【００４１】
これにより、ＳＴ１２において、時代劇のコンテンツに代えて、評価点が２番目に高い落語のコンテンツが提供され、モニター３２にその映像が映される。
モニター３２に落語の映像が映された状態から、コンテンツを代える際には、ＳＴ１３において、ワンタッチスイッチ３５の操作ボタン３６を所定時間より短く押す。
【００４２】
これにより、ＳＴ１４において、落語のコンテンツに代えて、評価点が３番目に高い将棋講座のコンテンツが提供され、モニター３２にその映像が映される。
このように、評価点の高い順に表示するコンテンツの切り替えを、ワンタッチスイッチ３５で極めて簡単におこなうことができる。
【００４３】
つぎに、図１０に基づいて提供システム３０のもう一つの作用を説明する。
図１０に示すようにＳＴ２０のプロモーション▲１▼のコンテンツが提供され、モニター３２にその映像が映された状態から、コンテンツを代える際には、ＳＴ２１において、ワンタッチスイッチ３５の操作ボタン３６を所定時間より短く押す。
【００４４】
これにより、ＳＴ２２において、プロモーション▲１▼のコンテンツに代えて、評価点が２番目に高いプロモーション▲２▼のコンテンツが提供され、モニター３２にその映像が映される。
プロモーション▲２▼の映像が映された状態から、コンテンツを代える際には、ＳＴ２３において、ワンタッチスイッチ３５の操作ボタン３６を所定時間より短く押す。
【００４５】
これにより、ＳＴ２４において、プロモーション▲２▼のコンテンツに代えて、評価点が３番目に高いプロモーション▲３▼のコンテンツが提供され、モニター３２にその映像が映される。
このように、評価点の高い順に表示するコンテンツの切り替えを、ワンタッチスイッチ３５で極めて簡単におこなうことができる。
【００４６】
なお、前記実施の形態では、ワンタッチスイッチ３５をプッシュボタンタイプを例に説明したが、これに限らないで、例えばジョイステックレバーなどのその他のワンタッチスイッチを用いることも可能である。
【００４７】
【発明の効果】
以上述べたように、請求項１による嗜好性感知型のコンテンツの提供システムによれば、個別ユーザーが興味を持つであろうコンテンツを、その興味を持つ可能性の高い順序で、個別ユーザーに自動的に配信できるという優れた効果がある。
さらに、コンピュータ端末のオン・オフ切り替えや、評価点の高い順に表示するコンテンツの切り替えを、ワンタッチスイッチで極めて簡単におこなうことができるので、使い勝手の向上を図ることができる。
【図面の簡単な説明】
【図１】本発明に係る嗜好性感知型のコンテンツの提供システムの内容を示す関連図である。
【図２】同提供システムの機能図である。
【図３】コンテンツデータベースの詳細図である。
【図４】キーワードデータベースの詳細図である。
【図５】ユーザーデータベースの詳細図である。
【図６】ユーザーのキーワードの詳細図である。
【図７】本発明に係る嗜好性感知型のコンテンツの提供システムの実施例を示す全体概略図である。
【図８】実施例の作用を示すフローチャートである。
【図９】実施例のその他の作用を示すフローチャートである。
【図１０】実施例のもう一つの作用を示すフローチャートである。
【符号の説明】
１…コンテンツデータベース
２…キーワードデータベース
３…ユーザーデータベース
４…ＮＧワードデータベース
５…コンテンツ
６…キーワード
１０…コンテンツ提供者
１５…ユーザーコンテンツ
１６…ユーザーキーワード
２０…ユーザー
３０…嗜好性感知型のコンテンツの提供システム
３１…コンピュータ
３２…テレビなどのモニター
３３…セットトップボックス
３５…ワンタッチスイッチ
３６…操作ボタン
【図１】
2004258929.tif 000003
【図２】
2004258929.tif 000004
【図３】
2004258929.tif 000005
【図４】
2004258929.tif 000006
【図５】
2004258929.tif 000007
【図６】
2004258929.tif 000008
【図７】
2004258929.tif 000009
【図８】
2004258929.tif 000010
【図９】
2004258929.tif 000011
【図１０】
2004258929.tif 000012